(57)【要約】【課題】  本発明は、回転軸の軸線方向に許容荷重以上の押圧荷重、或いは衝撃荷重等が加わったとしても、この押圧荷重、あるは衝撃荷重を吸収して、押圧軸部先端がつぶれないようにした回転型電気部品を提供する。【解決手段】  本発明の回転型電気部品は、ケース１、軸受部材６等からなるハウジングと、このハウジングに形成した軸受部６ｂから一端側の操作部７ａが突出する合成樹脂製の回転軸７と、この回転軸７の回転を検出可能な摺動子４及び導電パターン２ａからなる回転検出手段と、操作部７ａを回転軸７の軸線方向Ｓに押圧することにより、回転軸７の他端側に設けられた押圧軸部７ｂによって操作可能なプッシュスイッチＰとを備え、回転軸７の他端側には、軸線方向Ｓに弾性変形可能な緩衝部７ｃが設けられている。【選択図】        図２
2007193958.tif 000002
【特許請求の範囲】
【請求項１】
ケースと、このケースに設けた軸受部から一端側の操作部が突出する合成樹脂製の回転軸と、この回転軸の回転を検出可能な摺動子及び導電パターンからなる回転検出手段と、前記操作部を前記回転軸の軸線方向に押圧することにより、前記回転軸の他端側に設けられた押圧軸部によって操作可能なプッシュスイッチとを備え、
前記回転軸の前記他端側には、前記軸線方向に弾性変形可能な緩衝部が設けられていることを特徴とする回転型電気部品。
【請求項２】
前記緩衝部は、弾性変形可能に屈曲させた屈曲部からなることを特徴とする請求項１記載の回転型電気部品。
【請求項３】
前記押圧軸部は、径寸法が前記操作部より細軸に形成されて、前記回転軸と一体的に回転可能な回転体にガイドされていることを特徴とする請求項１、または２記載の回転型電気部品。
【請求項４】
前記回転体には、前記押圧軸部が挿通されてガイド可能なガイド孔が形成されており、前記ガイド孔に挿通される部分よりも前記操作部側に位置する前記回転軸に前記緩衝部を設けたことを特徴とする請求項３記載の回転型電気部品。
【請求項５】
前記回転軸は、前記操作部の軸心と前記屈曲部の軸心とを異ならせたことを特徴とする請求項２記載の回転型電気部品。
【請求項６】
前記回転軸は、前記操作部の軸心と前記押圧軸部の軸心とを一致させたことを特徴とする請求項１乃至５の何れか１項に記載の回転型電気部品。
【発明の詳細な説明】
【技術分野】
【０００１】
本発明は回転軸を有する回転型電気部品に係わり、回転軸の押圧操作で、プッシュスイッチのＯＮ／ＯＦＦ操作と、回転操作でパルススイッチ、或いは可変抵抗器等の回転検出手段の操作とが可能な回転型電気部品に関する。
【背景技術】
【０００２】
従来の回転型電気部品を特許文献１に基づいて説明すると、従来の回転型電気部品は、図８に示すように、合成樹脂からなるケース１を有し、このケース１には、金属板からなる複数個の導電板からなる導体パターン２が埋設されている。前記ケース１には、後述する回転軸１７と一体的に回転可能な合成樹脂から成る回転体３が支持されており、この回転体３には、金属板からなる摺動子４が取り付けられている。
そして、回転軸１７の回転操作で回転体３が回転することにより、摺動子４が導電パターン２に接離して、接点の切り換えを行うパルススイッチを構成している。
【０００３】
また、ケース１の外周壁には、後述する軸受部材１６の平板部１６ａとの間に挟持されて、金属板からなる板材５が取り付けられている。
前記板材５には、弾性片５ａが形成され、この弾性片５ａが回転体３に形成した凹凸部（図示せず）に係脱することにより、回転体３の回転動作に対応してクリック動作を行わしめている。
また、ケース１とともにハウジングを構成する軸受部材１６は、金属からなり、平板部１６ａと軸受部１６ｂとが形成され、軸受部１６ｂに支持された回転軸１７が回転自在になっている。
【０００４】
前記回転軸１７は、合成樹脂等の成型品からなり、先端に細軸状の押圧軸部１７ａと、この押圧軸部１７ａ近傍の割溝１７ｂを挟んで一対の取付脚１７ｃが形成されている。また、ケース１の後部（図示左側）には、固定接点８、９を埋設した絶縁体１０が取り付けられ、この絶縁体１０の内部には、ドーム状の板ばね１１が配設されている。
前記板ばね１１は、外周部が固定接点９に常時接触し、その中央部に回転軸１７の押圧軸部１７ａが当接し、回転軸１７が板ばね１１により常時矢印Ａ方向に弾性付勢されている。
そして、矢印Ａ方向に弾性付勢される回転軸１７は、一対の取付脚１７ｃが回転体３に係止されて抜け止めされている。
【０００５】
このような従来の回転型電気部品の操作を説明すると、板ばね１１の弾性付勢力で回転軸１７が矢印Ａ方向にスライドした状態の初期状態において、回転軸１７を回転操作すると、回転体３が回転軸１７と共に回転して、摺動子４が導電パターン２に接離して、接点の切り換えを行ってパルススイッチが操作される。
また、プッシュスイッチの操作は、図８に示す初期状態にある回転軸１７を矢印Ｂ方向にプッシュ操作すると、押圧軸部１７ａがドーム状の板ばね１１の中央部を押圧する。すると、反転した板ばね１１を介して固定接点８と９とが導通してプッシュスイッチのスイッチ回路がＯＮする。
その後、回転軸１７の押圧を解除すると、板ばね１１の自身の弾性付勢力によりドーム状に復帰して、板ばね１１が固定接点８から離れてプッシュスイッチのスイッチ回路がＯＦＦとなると共に、回転軸１７が矢印Ａ方向にスライドして初期状態に自動復帰する。
【特許文献１】特開平１１−９６８５５号公報
【発明の開示】
【発明が解決しようとする課題】
【０００６】
しかし、従来の回転型電気部品は、回転軸１７を矢印Ｂ方向に押圧してプッシュスイッチを操作するときに、操作者が誤って回転軸１７に許容荷重以上の押圧力が加わったり、或いは落下等により回転軸１７の軸線方向に衝撃等が加わったりすると、樹脂材料からなる回転軸１７は、図９に示すように、押圧軸部１７ａの先端がつぶれるおそれがあった。
このような押圧軸部１７ａの先端がつぶれると、回転軸１７を押圧操作しても、板ばね１１との間に隙間Ｃが発生して、板ばね１１を正常に反転させることができなくなり、プッシュスイッチが正常にＯＮしなくなるおそれがあった。
本発明は前述したような課題を解決し、回転軸の軸線方向に許容荷重以上の押圧荷重、或いは衝撃荷重等が加わったとしても、この押圧荷重、あるは衝撃荷重を吸収して、押圧軸部先端がつぶれないようにした回転型電気部品を提供することを目的とする。
【課題を解決するための手段】
【０００７】
前記課題を解決するための第１の手段として本発明の回転型電気部品は、ケースと、このケースに設けた軸受部から一端側の操作部が突出する合成樹脂製の回転軸と、この回転軸の回転を検出可能な摺動子及び導電パターンからなる回転検出手段と、前記操作部を前記回転軸の軸線方向に押圧することにより、前記回転軸の他端側に設けられた押圧軸部によって操作可能なプッシュスイッチとを備え、
前記回転軸の前記他端側には、前記軸線方向に弾性変形可能な緩衝部が設けられていることを特徴とする。
また、前記課題を解決するための第２の手段として、前記緩衝部は、弾性変形可能に屈曲させた屈曲部からなることを特徴とする。
【０００８】
また、前記課題を解決するための第３の手段として、前記押圧軸部は、径寸法が前記操作部より細軸に形成されて、前記回転軸と一体的に回転可能な回転体にガイドされていることを特徴とする。
また、前記課題を解決するための第４の手段として、前記回転体には、前記押圧軸部が挿通されてガイド可能なガイド孔が形成されており、前記ガイド孔に挿通される部分よりも前記操作部側に位置する前記回転軸に前記緩衝部を設けたことを特徴とする。
また、前記課題を解決するための第５の手段として、前記回転軸は、前記操作部の軸心と前記屈曲部の軸心とを異ならせたことを特徴とする。
また、前記課題を解決するための第６の手段として、前記回転軸は、前記操作部の軸心と前記押圧軸部の軸心とを一致させたことを特徴とする。
【発明の効果】
【０００９】
本発明において、回転軸の他端側（押圧軸部側）には、軸線方向に弾性変形可能な緩衝部が設けられているので、回転軸のプッシュ操作において、例えば、操作者が誤って許容荷重以上の押圧荷重が軸線方向に加わえられても、緩衝部が弾性変形して、許容荷重以上の押圧荷重を吸収することができる。
そのために、従来例で説明したような、押圧軸部の先端がつぶれるのを防止して、プッシュスイッチの信頼性を高めることができる。
また、緩衝部は、弾性変形可能に屈曲させた屈曲部からなるので、簡単な構成で緩衝部を確実に弾性変形させることができる。
【００１０】
また、押圧軸部は、径寸法が操作部より細軸に形成されて、回転軸と一体的に回転可能な回転体にガイドされているので、押圧軸部によるプッシュスイッチの押圧位置がバラツクのを防止できる。
また、回転体には、押圧軸部が挿通されてガイド可能なガイド孔が形成されており、ガイド孔に挿通される部分よりも操作部側に位置する回転軸に緩衝部を設けているので、緩衝部を設けた回転軸においても押圧軸部を確実にガイドでき、プッシュスイッチの押圧位置を正確に定めることができる。
【００１１】
また、回転軸は、操作部の軸心と屈曲部の軸心とを異ならせたので、許容荷重以上の押圧荷重が加わった場合に、屈曲部を確実に弾性変形させて許容荷重以上の過大な押圧荷重を吸収することができる。
また、回転軸は、操作部の軸心と押圧軸部の軸心とを一致させたので、操作部の押圧荷重を押圧軸部を介してプッシュスイッチに確実に伝達することができる。
【発明を実施するための最良の形態】
【００１２】
以下、本発明の回転型電気部品の一実施の形態を図面に基づいて説明する。図１は本発明の回転型電気部品の正面図であり、図２は図１の要部断面図であり、図３は図１の回転軸を９０度回転させた状態における要部断面図であり、図４は本発明に係わる回転軸の図であり、図５は回転軸の回転体への組立てを説明する分解斜視図であり、図６、図７は本発明の回転軸の変形例を説明する図である。
【００１３】
本発明の回転型電気部品を図１〜図７に基づいて説明すると共に、従来例で説明したものと同じ構成の部材は、同じ番号を付して説明する。
まず、本発明の回転型電気部品の回転検出手段Ｄを、例えばパルススイッチで説明すると、回転検出手段Ｄには、樹脂材料からなるケース１が配設されている。前記ケース１は、図２、図３に示すように、所定の径寸法と深さからなる凹部１ａによって図示右側が開放されている。
【００１４】
前記凹部１ａの底壁１ｂには、所定の径寸法で円形状の孔１ｃが形成され、凹部１ａの周部に形成した側壁１ｄによって、凹部１ａが囲まれている。
また、ケース１には、凹部１ａ内の底壁１ｂ上に一部を露出させた導電パターン２ａと、一部が側壁１ｄから外部に突出させた端子部２ｂとを有する、金属板から成る複数個の導電板２が埋設されている。
また、合成樹脂から成る回転体３は、中心部に後述する回転軸７の取付脚７ｅが挿通可能な小判孔３ａを有する筒部３ｂが形成されている。
【００１５】
また、回転体３は、図５に示すように、筒部３ｂの一端側である図示下端面には、内部の小判孔３ａにつながって一対の切欠孔３ｃが形成され、この一対の切欠孔３ｃに挟まれて所定の幅寸法の桟部３ｄが形成されている。
前記桟部３ｄの中心には、後述する回転軸７の押圧軸部７ｂを挿通させてガイド可能なガイド孔３ｅが貫通形成されている。
また、図３に示すように、回転体３には、小判孔３ａの内壁面の一部を内方に突出させて、一対の係止部３ｆが形成されると共に、筒部３ｂの外周に円形状の鍔部３ｇとこの鍔部３ｇ前面（図示右側）の円周方向に凹凸部３ｈとが形成されている。
【００１６】
また、回転体３の鍔部３ｇの後面（図示左側）には、弾性を有する金属板からなる摺動子４が取り付けられている。
そして、回転体３は、ケース１の凹部１ａ内に鍔部３ｇを位置させると共に、筒部３ｂの後端（図示左側）をケース１の孔１ｃに挿通することで、回転自在にケース１に支持されている。
また、回転体３が回転することで、回転体３に取り付けた摺動子４が複数の導電パターン２ａに対して接離し、接点の切り換えを行う回転検出手段Ｄである、例えばパルススイッチが構成されている。
【００１７】
また、弾性を有する金属板あるいは合成樹脂等からなる板材５がリング状に形成されて配設され、この板材５は、ケース１の凹部１ａ前面を遮蔽するように、ケース１及び回転体３の鍔部３ｇの前面に配置されている。
そして、板材５には、舌片状の弾性片５ａが形成され、回転体３が回転することで、弾性片５ａが回転体３の凹凸部３ｈに係脱して、回転体３の回転動作に対してクリック感触を伴うものとなっている。
上述したように、摺動子４を取り付けた回転体３と、導電板２の一部を埋設して取り付けたケース１と、板材５とで、回転検出手段Ｄである、例えばパルススイッチが構成されている。前記回転検出手段Ｄは、パルススイッチに限らず、例えば導電パターンとして抵抗体パターンを用いた可変抵抗器等でも良い。
【００１８】
また、ハウジングを構成する金属板からなる軸受部材６は、板材５上に位置する平坦状の平板部６ａが形成されると共に、平板部６ａの中央部を絞り加工等で図示右方向に所定の孔径と高さ寸法で突出させて軸受部６ｂが形成されている。
そして、軸受部６ｂには、後述する回転軸７の操作部７ａが、回転操作可能及び軸線Ｓ方向（矢印Ｂ方向）にスライド移動可能で、ほとんどガタなく、軸受部６ｂとの間に微小なクリアランスを有して嵌合している。
また、軸受部材６には、図１に示すように、プリント基板（図示せず）等にスナップ係止可能なスナップ脚６ｃと、このスナップ脚６ｃの図示上下に固定爪６ｄが形成されている。
そして、軸受部材６は、固定爪６ｄをケース１の後方に配置される後述する絶縁体１０の後面に折り曲げることにより、ケース１と一体化されている。
この時の板材５は、ケース１の側壁１ｄと軸受部材６の平板部６ａとの間に挟持されるようになっている。なお、本実施の形態においては、ケース１、軸受部材６、及び絶縁体１０により、ハウジングが構成されている。
【００１９】
また、軸受部６ｂに回転自在に保持される回転軸７は、合成樹脂製の成型品からなり、強度向上のために樹脂材料にガラス繊維が充填されて成型加工されている。
前記回転軸７は、図３に示すように、軸受部材６の軸受部６ｂに保持されて軸受部６ｂから図示右側の一端側である操作部７ａが突出している。
また、回転軸７には、図４Ｃに示すように、軸線Ｓ上で図示左側の他端側に、操作部７ａより細軸の押圧軸部７ｂが形成されている。
即ち、軸線Ｓ上に位置する操作部７ａと押圧軸部７ｂとの軸心は、互いに一致している。
【００２０】
また、回転軸７に他端部側（押圧軸部７ｂ側）であって、操作部７ａと押圧軸部７ｂとの間には、軸線Ｓ方向に弾性変形可能な緩衝部７ｃが設けられている。この緩衝部７ｃは、略Ｕ字状の屈曲部からなり、この屈曲部の軸心Ｆと軸線Ｓ上にある操作部７ａの軸心とが、位置ズレして異なっている。
前記緩衝部７ｃは、回転軸７を矢印Ｂ方向に押圧操作した時に、後述するドーム状の板ばね１１が反転するまでは弾性変形しないが、板ばね１１が反転後に、更に、大きな押圧荷重が回転軸７に加わると弾性変形して、大きな押圧荷重を吸収するようになっている。
そのために、図２、図３に示す状態の回転軸７の操作部７ａに、操作者が誤って許容荷重以上の押圧荷重を軸線方向Ｓに加えたり、或いは落下等により軸線方向Ｓに大きな衝撃荷重が加わったとしても、略Ｕ字状の屈曲部からなる緩衝部７ｃによって、押圧軸部７ｂの先端がつぶれないようになっている。
【００２１】
また、回転軸７には、図３及び図４Ａに示すように、押圧軸部７ｂと緩衝部７ｃの左右側縁側に、所定の幅寸法と深さ寸法の一対の割溝７ｄが形成されている。
この割溝７ｄを挟んだ外側には、押圧軸部７ｂ及び緩衝部７ｃに沿って操作部７ａから延びる一対の取付脚７ｅが形成され、この取付脚７ｅの先端が鉤状になっている。前記押圧軸部７ｂは、取付脚７ｅよりも長く突出形成されている。
また、回転軸７には、操作部７ａの根元部分に段部７ｆが形成され、この段部７ｆは、回転軸７を矢印Ｂ方向にプッシュ操作した時に、回転体３の筒部３ｂ端部に当接するストッパー部となっている。
このような回転軸７は、操作部７ａが軸受部材６の軸受部６ｂに軸支されているので、回転操作時及び押圧操作時において、操作部７ａ側が、軸線Ｓと直交する方向にガタ付くのを規制することができる。
【００２２】
また、回転軸７を回転体３に組み付けるには、ケース１に回転体３及び軸受部材６を取り付けた状態で、回転軸７の押圧軸部７ｂ側を、軸受部材６の軸受部６ｂから矢印Ｂ方向に挿通して、回転体３の小判孔３ａに挿入する。
すると、回転軸７は、鉤状の取付脚７ｅの先端部が、係止部３ｆの内面を摺接して、取付脚７ｅが割溝７ｄを狭める方向に弾性変形する。
そして、取付脚７ｅの鉤状の先端が係止部３ｆを通過すると、取付脚７ｅは、自身の弾性力で元の状態に復帰して、鉤状部分が係止部３ｆにスナップ係止されて回転軸７が、矢印Ａ方向への抜け止めされる。
【００２３】
また、取付脚７ｅによって回転体３に抜け止めされた回転軸７は、押圧軸部７ａが桟部３ｄのガイド孔３ｅに挿通されてガイドされている。
このことにより、押圧軸部７ｂは、軸線Ｓと直交する方向のガタ付きが規制されると共に、軸線Ｓ方向にスライド可能となっている。また、回転体３は、回転軸７と一体的に回転可能になっている。
このように回転体３に回転軸７を係合支持すると、軸受部材６の軸受部６ｂに操作部７ａが軸支されて軸受部６ｂから外方に突出すると共に、摺動子４を取付けた回転体３がケース１の凹部１ａに収納される。
そして、ケース１の後方側（図２において左側）に、後述する板ばね１１と絶縁体１０を配設した状態で、軸受部材６の固定爪６ｄを絶縁体１０の後面側に折り曲げされて、各部材の組立てが行われる。
【００２４】
このように組立てされた本発明の回転型電気部品は、図２に示す初期状態における回転軸７を、矢印Ｂ方向に押圧操作すると、押圧軸部７ｂが後述するプッシュスイッチＰを構成する板ばね１１を押圧して、板ばね１１を反転させるようになっている。
また、操作部７ａの押圧を解除すると、回転軸７は、後述する板ばね１１の弾性力で矢印Ａ方向に戻されて、鉤状の取付脚７ｅが係止部３ｆに係止されて抜け止めされる。なお、屈曲部からなる緩衝部７ｃは、回転体３のガイド孔３ｅに挿通されてガイドされる押圧軸部７ｂの部分よりも操作部７ａ側に位置する回転軸７に設けられる。これにより、緩衝部７ｃがガイド孔３ｅによる押圧軸部７ｂのガイドに影響を及ぼすことはなく、適切な位置に押圧軸部７ｂを位置決めすることができる。
【００２５】
また、ケース１の図示左側の後部には、固定接点８、９を埋設した絶縁体１０が取り付けられ、この絶縁体１０の内部には、可動接点としての弾性を有する金属板からなるドーム状の板ばね１１が配設されている。
前記板ばね１１は、その周辺部が固定接点９に常時接触し、且つ、その中央部が回転軸７の押圧軸部７ｂに当接して、回転軸７を常時矢印Ａ方向に弾性付勢している。
そして、本発明の回転型電気部品は、軸線Ｓ上に回転検出手段Ｄが配設されていると共に、固定接点８、９を有する絶縁体１０と板ばね１１とで構成されたプッシュスイッチＰが並列して配設されている。
【００２６】
次ぎに、上述したような構成の回転型電気部品の操作を説明する。操作部７ａの回転操作による回転軸７の回転に伴って回転体３が回転し、回転体３に取付けた摺動子４と導電パターン２ａとが相対的に摺動して、回転検出手段Ｄが操作される。
また、図２、図３に示す初期状態の回転軸７を矢印Ｂ方向に押圧操作すると、回転軸７の押圧軸部７ｂ先端が板ばね１１の中央部を押圧して、弾力性のある板ばね１１が反転し、板ばね１１の中央部内面が固定接点８に接触する。
このことにより、固定接点８と９とが導通してプッシュスイッチＰのスイッチ回路がＯＮする。
【００２７】
また、プッシュスイッチＰのスイッチ回路をＯＮさせた後、回転軸７に加えていた矢印Ｂ方向の押圧を解除すると、反転していた板ばね１１がドーム状の初期状態に復帰しようとする弾性力により、回転軸７が矢印Ａ方向に戻される。
すると、回転軸７は、取付脚７ｅが係止部３ｆに係止されて、回転軸７の矢印Ａ方向のスライドがストップして初期状態に自動復帰する。同時に、ドーム状に復帰した板ばね１１が固定接点８から離れて、プッシュスイッチＰのスイッチ回路がＯＦＦとなる。
【００２８】
上述したような本発明の回転型電気部品は、回転軸７のプッシュ操作において、例えば、操作者が誤って回転軸７に許容荷重以上の押圧荷重を矢印Ｂ方向に加わえたとしても、略Ｕ字状の屈曲部からなる緩衝部７ｃが弾性変形して、許容荷重以上の押圧荷重を吸収することができる。
そのために、従来例で説明したような、押圧軸部７ｂの先端がつぶれるのを確実に防止でき、プッシュスイッチＰの動作の信頼性を高めることができる。
或いは落下等によって、操作部７ａの軸線方向Ｓに大きな衝撃荷重等が加わったとしても、この衝撃荷重等を緩衝部７ｃで確実に吸収できる。なお、許容荷重を超えた大きな押圧荷重が回転軸７に加えられた場合に、回転軸７」の段部７ｆが回転体３の筒部３ｂの端部に当接し、回転軸７のスライド移動が停止するようになっている。
【００２９】
また、回転軸７に形成した緩衝部７ｃの変形例として、図６に示すように、緩衝部７ｃを略Ｌ字状に屈曲させたものでも良い。
また、その他の変形例として、図７に示すように、幅広に形成した緩衝部７ｃの中央部に、軸線Ｓ方向に長尺状の楕円孔７ｇを貫通形成したものでも良い。
【図面の簡単な説明】
【００３０】
【図１】本発明の回転型電気部品の正面図である。
【図２】図１の要部断面図である。
【図３】図１の回転軸を９０度回転させた状態における要部断面図である。
【図４】本発明に係わる回転軸の図である。
【図５】本発明に係わる回転軸の回転体への組立てを説明する分解斜視図である。
【図６】本発明に係わる回転軸の変形例を説明する図（断面図）である。
【図７】本発明に係わる回転軸の変形例を説明する図（断面図）である。
【図８】従来の回転型電気部品の要部断面図である。
【図９】図８の要部拡大図である。
【符号の説明】
【００３１】
Ｄ  回転検出手段
１  ケース（ハウジング）
１ａ  凹部
１ｂ  底壁
１ｃ  孔
１ｄ  側壁
２  導電板
２ａ  導電パターン
３  回転体
３ａ  小判孔
３ｂ  筒部
３ｃ  切欠孔
３ｄ  桟部
３ｅ  ガイド孔
３ｆ  係止部
３ｇ  鍔部
３ｈ  凹凸部
４  摺動子
５  板材
５ａ  弾性片
６  軸受部材（ハウジング）
６ａ  平板部
６ｂ  軸受部
６ｃ  スナップ脚
６ｄ  固定爪
７  回転軸
７ａ  操作部
７ｂ  押圧軸部
７ｃ  緩衝部（屈曲部）
７ｄ  割溝
７ｅ  取付脚
７ｆ  段部
８、９  固定接点
１０  絶縁体（ハウジング）
１１  板ばね（可動接点）
Ｓ  軸線
Ｐ  プッシュスイッチ
【図１】
2007193958.tif 000003
【図２】
2007193958.tif 000004
【図３】
2007193958.tif 000005
【図４】
2007193958.tif 000006
【図５】
2007193958.tif 000007
【図６】
2007193958.tif 000008
【図７】
2007193958.tif 000009
【図８】
2007193958.tif 000010
【図９】
2007193958.tif 000011